(57)【要約】【課題】上部開口部の大きさの異なるプランターに対して載置可能なプランターカバーを提供する。【解決手段】プランター１の上部に載置されてその上部開口部３を覆う断面ハット型形状のプランターカバー１０において、ハット型形状の開口部の内面側に、上部開口部３の大きさの異なるプランター１に対して載置可能な載置手段２０をハット型形状の側面形成形状とは異なる形状として形成する。【選択図】図２
2007306830.tif 000002
【特許請求の範囲】
【請求項１】
プランターの上部に載置されてその上部開口部を覆う断面ハット型形状のプランターカバーであって、
ハット型形状の開口部の内面側に、上部開口部の大きさの異なるプランターに対して載置可能な載置手段が前記ハット型形状の側面形成形状とは異なる形状として形成されていることを特徴とするプランターカバー。
【請求項２】
請求項１に記載のプランターカバーであって、
前記載置手段は、上部開口部の大きさの異なるプランターに対して載置可能に形成された複数の載置部からなることを特徴とするプランターカバー。
【請求項３】
請求項２に記載のプランターカバーであって、
前記複数の載置部は、周上の外方に位置する第１の載置部と内方に位置する第２の載置部とからなり、当該第１の載置部は平面形状で形成され、当該第２の載置部は傾斜面で形成され、両載置部は連続して形成されていることを特徴とするプランターカバー。
【請求項４】
請求項１から請求項３のうちいずれか１項に記載のプランターカバーであって、
前記載置手段は、開口部周上に複数箇所形成されていることを特徴とするプランターカバー。
【請求項５】
請求項４に記載のプランターカバーであって、
前記開口部周上に複数箇所形成される載置手段は、内方に突出形成された補強リブ箇所に形成されていることを特徴とするプランターカバー。
【請求項６】
請求項１から請求項５のうちいずれか１項に記載のプランターカバーであって、
当該プランターカバーの開口部にはフランジ面が形成されており、該フランジ面には貫通孔が形成されており、
針金状の係止具が前記貫通孔を貫通することにより該フランジ面に掛けられ、該係止具の端部がプランターの下に折り込まれることによりプランターの上部に固定されることを特徴とするプランターカバー。
【発明の詳細な説明】
【技術分野】
【０００１】
本発明は、プランターカバーに関する。詳細には、プランターの上部に載置されてプランターの上部開口部を覆うプランターカバーに関する。
【背景技術】
【０００２】
近年、主婦層を中心に趣味と実益を兼ねた家庭園芸が広がっており、プランターを用いた野菜や花卉などの栽培がますます盛んになっている。ところが、専門知識あるいは専門技術を有しない者による家庭園芸では、成果を得られないことも多いのが現状であり、その主な原因としては、冬場における発芽、育苗時の問題が挙げられる。すなわち、昼夜の寒暖の差や霜の発生などにより、発芽が妨げられたり、育苗が妨げられたりするという問題点がある。
【０００３】
これらの問題点を解決するためには、プランターにプランターカバーを被せてプランターの上部開口部を覆うのが効果的である。それにより、プランターカバー内の温湿度変化を緩和して容易に保温保湿することができるとともに、霜害を防ぐこともできる。
【０００４】
このようなプランターカバーとしては、例えば、特許文献１に示されるプランターカバーがある。この特許文献１には、開口部の全周に鍔状の嵌合部が設けられているプランターカバーが開示されている。このプランターカバーは、その嵌合部をプランター上部に設けられた鍔に嵌合させることによりプランターに被せられる。これにより上述したように保温保湿することができるとともに、霜害を防ぐことができる。
【０００５】
【特許文献１】特開平１１−８９４４２号公報
【発明の開示】
【発明が解決しようとする課題】
【０００６】
しかしながら、上述したプランターカバーは、上部開口部が特定の大きさであり、且つ上部開口部に特定の形状の鍔を有するプランターのみにしか嵌合させることができないという不便さがある。したがって、上部開口部に設けられた鍔が特定寸法でないプランターや、上部に鍔を有しないプランターには被せることができなかった。すなわち、利用する上で自由度に欠けると言う問題がある。
【０００７】
本発明のプランターカバーは、上記問題を解決するものとしてなされたものであって、本発明が解決しようとする課題は、上部開口部の大きさの異なる複数のプランターに対応できる載置形状とすることにより該上部開口部の大きさの異なる複数のプランターに対して載置可能とすることにある。
【課題を解決するための手段】
【０００８】
上記課題を解決するために、本発明に係るプランターカバーは次の手段をとる。
先ず、第１の発明は、プランターの上部に載置されてその上部開口部を覆う断面ハット型形状のプランターカバーであって、ハット型形状の開口部の内面側に、上部開口部の大きさの異なるプランターに対して載置可能な載置手段が前記ハット型形状の側面形成形状とは異なる形状として形成されていることを特徴とする。
この第１の発明のプランターカバーによれば、先ず、上部開口部の大きさの異なる複数のプランターに対して載置可能となる。加えて、載置手段がハット型形状の開口部に形成されていることにより、複数のプランターのいずれのプランターに対して載置した場合も、プランターカバーの内部に十分な容積を確保することができる。これにより従来の汎用のプランターカバーと同様にプランターに植えられた植物が上方に生長するスペースを十分に確保することができる。
【０００９】
次に、第２の発明は、上記第１の発明のプランターカバーであって、載置手段が上部開口部の大きさの異なるプランターに対して載置可能に形成された複数の載置部からなることを特徴とする。
この第２の発明のプランターカバーによれば、載置手段が複数の載置部からなるため、上部開口部の大きさの異なる各種のプランターに対して載置するときに容易に位置決めすることができる。
【００１０】
次に、第３の発明は、上記第２の発明のプランターカバーであって、複数の載置部は、周上の外方に位置する第１の載置部と内方に位置する第２の載置部とからなり、当該第１の載置部は平面形状で形成され、当該第２の載置部は傾斜面で形成され、両載置部は連続して形成されていることを特徴とする。
この第３の発明のプランターカバーによれば、第１の載置部は、開口部が平面形状で形成されているため特定形状のプランターの上部に容易に位置合わせすることができる。第２の載置部は、傾斜面で形成されているためその傾斜の上端から下端までの範囲内において上部開口部の大きさの異なる各種のプランターに対して載置することができる。
【００１１】
次に、第４の発明は、上記第１から第３の発明のいずれかのプランターカバーであって、載置手段は、開口部周上に複数箇所形成されていることを特徴とする。
この第４の発明のプランターカバーによれば、載置手段が開口部の全周でなく周上に複数箇所形成されているため、プランターカバー内の空間をより広く確保することができる。
【００１２】
次に、第５の発明は、上記第４の発明に記載のプランターカバーであって、開口部周上に複数箇所形成される載置手段は、内方に突出形成された補強リブ箇所に形成されていることを特徴とする。
この第５の発明のプランターカバーによれば、載置手段が補強リブ箇所に形成されているため、載置手段が撓んで変形することなくプランターの上部に載置して容易に安定させることができる。
【００１３】
次に、第６の発明は、上記第１から第５の発明のいずれかのプランターカバーであって、当該プランターカバーの開口部にはフランジ面が形成されており、該フランジ面には貫通孔が形成されており、針金状の係止具が前記貫通孔を貫通することにより該フランジ面に掛けられ、該係止具の端部がプランターの下に折り込まれることによりプランターの上部に固定されることを特徴とする。
この第６の発明のプランターカバーによれば、係止具が針金状であり任意に折り曲げ可能であるから、深さの異なるプランターの下に折り込むことができる。したがって、深さの異なるプランターに対してプランターカバーを固定することができる。また、プランターカバーをプランターの上部に載置して係止具をプランターの下に折り込こんで固定することにより、上部開口部の形状の異なるプランターに対しても載置可能であり、プランターの上部開口部の形状を選ばず、各種形状のプランターに対して載置して固定することができる。
【発明の効果】
【００１４】
本発明は上述した手段をとることにより、次の効果を得ることができる。
先ず、上記第１の発明のプランターカバーによれば、上部開口部の大きさの異なる複数のプランターに対して載置可能となり、利用する上で自由度が高まる。
加えて、ハット型形状として形成し、その開口部に載置手段を設けたことにより、載置する複数のいずれのプランターにおいても、プランターカバーの内部に植えられた植物が上方に生長する十分なスペースを従来の汎用のプランターと同様に確保することができる。
次に、上記第２の発明によれば、複数の載置部としたことにより異なる大きさのプランターに対して容易に位置決めすることができる。
次に、上記第３の発明によれば、特に第２の載置部を傾斜面で形成したことにより、その傾斜の上端から下端までの範囲内において載置することができ、より自由度が高まる。
次に、上記第４の発明によれば、載置手段を周上の複数箇所に形成したことにより、プランターカバー内の空間をより広く確保することができる。
次に、上記第５の発明によれば、補強リブ箇所に載置手段が形成されているため、載置手段が撓んで変形することなく載置が安定して行われる。
次に、上記第６の発明によれば、プランターカバーを係止具により確実にプランターに固定することができる。
【発明を実施するための最良の形態】
【００１５】
以下、図面を参照しながら、本発明を実施するための最良の形態について説明する。図１は、本実施形態のプランターカバーがプランターの上部に載置されている状態を示す斜視図である。図２は、図１に示すプランターカバーがプランターの上部に載置されている状態のＩＩ−ＩＩ断面図であり、上部開口部の大きさの異なる別のプランターに載置されている状態を二点鎖線で示した。図３（Ａ）および図３（Ｂ）は、それぞれ図２に示すプランターの上部にプランターカバーが載置されている状態の断面図の一部拡大して載置手段を示しており、図３（Ａ）は、図２に実線で示すプランターの上部にプランターカバーが載置されている状態を示し、図３（Ｂ）は、図２に二点鎖線で示すプランターの上部にプランターが載置されている状態を示している。図４は、本実施形態のプランターカバーの正面図であり、図５は、本実施形態のプランターカバーの右側面図、図６は、本実施形態のプランターカバーの平面図である。また、図７は、図１に示す本実施形態のプランターカバーがプランターの上部に載置されている状態の斜視図を一部拡大してプランターカバーが係止具によって固定されている状態を示している。
【００１６】
図１に示すように、本実施形態のプランターカバー１０は、プランター１の上部に載置されるものであり、図２に示すように、断面ハット型形状でプランター１の上部開口部３を覆うことのできる形状として形成されている。プランターカバー１０は、そのハット型形状の開口部の内面側に、上部開口部３の大きさの異なるプランター１に対して載置可能な載置手段２０が、ハット型形状の側面形成形状とは異なる形状として形成されている。
【００１７】
具体的には、載置手段２０がプランターカバー１０の開口部に側面形成形状とは異なる形状として形成されている。すなわち、図２に示すように、プランターカバー１０は上方がやや窄むように形成されており、側面１８ａは傾斜形状となっているが、側面１８ａの傾斜形状とは異なる形状として載置手段２０が形成されている。これにより、プランターカバー１０は、その下方においてプランター１の上部に載置され、プランター１の上方においてプランター１の上部開口部３を覆う格好となる。これによりプランター１に植えられた植物が上方に生長するスペースを十分に確保することができる。また、プランターカバー１０を、プランター１よりも上部開口部１０３の小さいプランター１０１に載置した場合も、プランター１に載置した場合とほぼ同様に、植物が上方に生長するスペースを十分に確保することができる。したがって、載置手段２０がそのプランターカバー１０の開口部に側面形成形状とは異なる形状として形成されていることにより上部開口部３，１０３の大きさの異なるプランター１，１０１に対して載置した場合も、常に植物が上方に生長するスペースを十分に確保することができる。逆に、載置手段２０と側面形成形状とが同じである図示しないプランターカバーを上部開口部１０３の小さいプランター１０１載置しようとすると、側面１８ａ，１８ｂの上方側の内部においてプランター１０１の上部に引っかかることとなる。この場合、プランターカバーはプランター１０１に載置されたような格好となるものの、植物が上方に生長するスペースを十分に確保することは困難である。
【００１８】
図２に示すように、載置手段２０は、上部開口部３（１０３）の大きさの異なるプランターに対して載置可能に形成された第１の載置部２２と第２の載置部２４との２つの載置部とからなる。この２つの載置部は、連続して形成されており、周上の外方に位置する第１の載置部２２は平面形状で形成されており、周上の内方に位置する第２の載置部２４は傾斜面で形成されている。
【００１９】
具体的には、第１の載置部２２は、図３（Ａ）に示すように、外方に位置し、平面形状で形成されており、プランター１に対して載置可能に形成されている。第２の載置部２４は、図３（Ｂ）に示すように、内方に位置し、プランター１とは上部開口部１０３の大きさの異なるプランター１０１に対して載置可能に形成されている。第１の載置部２２は平面形状で形成されており、さらに外方が垂下した壁面２２ａの形状として形成されているため、第１の載置部２２と壁面２２ａ形状とで、クランク状に形成されている。したがって、プランターカバー１０がプランター１上で横ズレするのを防ぐことができ、プランターカバー１０をプランター１上にぴたりと位置合わせすることができる。
第２の載置部２４は、傾斜面で形成されているため、その傾斜の上端から下端までの範囲内においては、上部開口部の大きさの異なる各種のプランターに対して載置することができる。なお、第２の載置部２４を形成する傾斜面の角度は側面１８ａ、１８ｂの角度よりはるかに緩い角度で形成されている。
また、後述するように、このプランターカバー１０は、熱可塑性樹脂を熱成形して作ることができるが、載置手段２０の断面形状が平面と傾斜面とが連続した鈍角からなるため、プランターカバー１０を成形する際に、載置手段２０付近の厚みを容易に均一化することができる。したがって、成形性に優れ、載置手段２０付近で破損しにくいプランターカバー１０を成形することができる。
【００２０】
図６に示すように、載置手段２０は、開口部の周上に複数箇所形成されている。プランターカバー１０には、複数の補強リブ３０ａ，３０ｂが内方に突出するように形成されており(図４、図５参照)、その補強リブ３０ａ，３０ｂ箇所に載置手段２０が形成されている。
【００２１】
具体的には、プランターカバー１０は、相対向する長手方向に沿った側面１８ａと上面１９とに連続して形成された短手方向に沿う複数の補強リブ３０ａと、長手方向の両端の側面１８ｂに形成された、上面１９にかけて上下方向に走る補強リブ３０ｂとを有する。これらの補強リブ３０ａ，３０ｂが形成されていることにより、プランターカバー１０は肉薄で軽量でありながら、撓みにくく形状安定性に優れる。なお、プランターカバー１０は、例えば、厚さ０．５ｍｍ程度とすることができる。
【００２２】
載置手段２０は、補強リブ３０ａ，３０ｂ箇所に形成されている。したがって、載置手段２０は撓んで変形することなく、プランター１上に載置して容易に安定させることができる。また、載置手段２０が開口部の全周でなく周上の複数箇所に形成されているため、プランターカバー１０内の空間をより広く確保することができる。
【００２３】
プランターカバー１０の開口部には、フランジ面４０が形成されており、そのフランジ面４０には、貫通孔４２が形成されている（図６参照）。図７に示すように、針金状の係止具５０が貫通孔４２を貫通することにより、フランジ面４０に掛けられ、係止具５０の端部５０ａがプランター１の下に折り込まれることにより、プランターカバー１０は、プランター１の上部に固定される。
【００２４】
具体的には、プランターカバー１０には、開口部の長手方向の両端にフランジ面４０が形成されており、それぞれ２つの貫通孔４２が形成されている。針金状の係止具５０は逆Ｕ字状であり、その両端をそれぞれ貫通孔４２に下向きに差し込み、係止具５０がフランジ面４０に掛かっている状態で係止具５０の端部５０ａをプランター１の下に折り込む。これにより、プランターカバー１０をプランター１上に容易に固定することができる。このとき、フランジ面４０には貫通孔４２が形成されているため、先の尖っていない係止具５０を安全且つ容易にフランジ面４０に貫通させてフランジ面４０に掛けることができる。また、係止具５０は針金状であり任意に折り曲げ可能であるから、深さの異なるプランター１の下に折り込むことができる。したがって、深さの異なるプランター１に対してプランターカバー１０を固定することができる。
【００２５】
なお、図１に良く示されるように、プランターカバー１０は、上面１９に通気孔１６が設けられており、プランターカバー１０内は換気可能となっている。また、開口部の外周には外方に突出形成されたリブ状の補強構造３２が周上に等間隔に配列形成されており、開口部の形状安定性に優れる。
【００２６】
プランターカバー１０は、例えばポリエチレンテレフタレート、ポリブチレンテレフタレート、ポリプロピレン、ポリアミド等の熱可塑性樹脂により成形することができる。特に、ポリエチレンテレフタレートは、透明性が高く、衝撃耐性に優れるため好ましい。もちろん、環境に配慮してこれらの熱可塑性樹脂のリサイクル樹脂を使用しても良い。成形方法は特に限定されず、例えば、熱可組成樹脂のシートを真空成形により成形したり、圧空成形したりして成形することができる。
【００２７】
以上の構造を有するプランターカバー１０は、以下の機能を有する。
プランターカバー１０は、上部開口部３（１０３）の大きさの異なるプランター１（１０１）に対して載置可能であり、第１の載置部２２においては、特定のプランター１の上部にぴたりと位置合わせして載置することができる。傾斜面で形成された第２の載置部２４おいては、その傾斜の上端から下端までの範囲内において上部開口部１０３の大きさの異なる各種のプランター１０１に対して載置することができる。上部開口部の大きさの異なる各種のプランター１（１０１）に対して載置した場合、常にプランターカバー１０の下方においてプランター１（１０１）に載置され、プランター１（１０１）の上方においてその上部開口部３（１０３）を覆うため、プランター１（１０１）に植えられた植物が上方に生長するスペースを十分に確保することができる。
また、プランターカバー１０は、任意に折り曲げ可能な針金状の係止具５０をフランジ面４０に掛け、その係止具５０の端部５０ａをプランターの下に折り込むことによりプランター１（１０１）の上部に固定されるため、深さの異なるプランター１（１０１）に対して固定することができる。
本実施形態において、プランター１の上部開口部３の上端面形状は、図２及び図３に良く示されるように、第１の載置部２２の平面形状に対応した平面形状のフランジ形状として形成されている。この上端面形状はその他周知の各種の形状とすることができる。すなわち、プランターカバー１０は、プランター１の上端面形状を選ばず各種の形状のプランター１に対して載置することができる。例えば、プランター１の上端面形状は、第２の載置部２４の傾斜面に対応させて上部開口部３の上端から斜め外方に垂下する傾斜面形状とすることもできる。かかる傾斜面形状のプランター１に対して第２の載置部２４のプランターカバー１０を載置するときには、その載置がフィットして行われる。また、プランターカバー１０は、例えば、上端面形状に装飾を備えていたり、上端面形状が拡開形状となっているプランター１に対しても載置可能である。
なお、本実施形態の上記係止具５０を用いるプランターカバー１０は、本発明が対象とするプランター１に載置する用い方ばかりでなく、用途の応用として地面に対して直接用いることもできる。すなわち、花壇等の地面に対してプランターカバー１０を直接固定して用いることもできる。地面にプランターカバー１０を直接置き、フランジ面４０に掛けた係止具５０を地面に刺しこむことにより地面に対してプランターカバー１０を固定することができる。
【００２８】
以上の構成のプランターカバー１０は、プランター１の上部開口部を覆うことにより以下の作用をする。
プランターカバー内を簡易的に温室のようにすることができ、プランターカバー１０内を保温したり、霜害を防ぐことができる。一方、上面１９に通気孔１６が形成されていることにより、外気温が急激に上昇してもプランターカバー１０内の温度上昇が緩和され、急激な温度上昇を防ぐことができる。また、土に含まれる水分が蒸発すると、プランターカバー１０の内面で冷えて結露し、水滴となって土に落ちるため、プランターカバー１０内で水が循環し、保湿されるとともに、水やりを減らすことができる。さらに、植物を虫や鳥の害から守ることができる。もちろん、地面に対して直接プランターカバー１０を固定した場合も同様に作用する。
【００２９】
なお、本発明のプランターカバー１０の形態は上記実施形態に限定されるものではない。
例えば、載置手段２０は、傾斜面のみ、あるいは、階段状の複数の平面で形成してもよく、開口部の周上に複数箇所形成してもよいし、全周に形成してもよい。
フランジ面４０は、開口部の長手方向に沿うように形成してもよい。
【図面の簡単な説明】
【００３０】
【図１】プランターカバーがプランターの上部に載置されている状態を示す斜視図である。
【図２】図１に示すプランターカバーがプランターの上部に載置されている状態のＩＩ−ＩＩ断面図である。
【図３】（Ａ）及び（Ｂ）は、それぞれ図２に示すプランターの上部にプランターカバーが載置されている状態の断面図の一部拡大して載置手段を示しており、（Ａ）は、プランター１の上部にプランターカバーが載置されている状態を示し、（Ｂ）はプランター１０１の上部にプランターカバーが載置されている状態を示す図である。
【図４】プランターカバーの正面図である。
【図５】プランターカバーの右側面図である。
【図６】プランターカバーの平面図である。
【図７】図１に示すプランターカバーがプランターの上部に載置されている状態の斜視図を一部拡大してプランターカバーが係止具によって固定されている状態を示す図である。
【符号の説明】
【００３１】
１  プランター
３  上部開口部
１０  プランターカバー
１８ａ  側面
１８ｂ  側面
１９  上面
２０  載置手段
２２  第１の載置部
２４  第２の載置部
３０ａ  補強リブ
３０ｂ  補強リブ
４０  フランジ面
４２  貫通孔
５０  係止具
５０ａ  端部
１０１  プランター
【図１】
2007306830.tif 000003
【図２】
2007306830.tif 000004
【図３】
2007306830.tif 000005
【図４】
2007306830.tif 000006
【図５】
2007306830.tif 000007
【図６】
2007306830.tif 000008
【図７】
2007306830.tif 000009